(57)【要約】【課題】  乗場ドア用の敷居が据え付けられたエレベータ昇降路に対する、測定手段（巻尺）を用いた寸法測定を正確かつ容易に行う。【解決手段】  台座８１を、乗場ドア用の敷居１に着脱自在な基台８１１とこの基台に枢結して摺動可能なスライド板８１２とで構成し、スライド板８１２上にレーザ照射器（光照射器）８３及び測定手段の巻尺８２を搭載するように構成する。  巻尺８２の物差し部８２ａの引き出し方向とレーザ照射器８３による照射レーザ光の方向とを、水平方向に一致させることにより、作業員は、高精度な距離（寸法）測定を容易かつ正確に実施することができる。【選択図】      図１
2005106733.tif 000002
【特許請求の範囲】
【請求項１】
乗場ドア用の敷居に取り付けて、昇降路の内壁面までの距離を測定するエレベータの昇降路寸法測定装置であって、
前記敷居に着脱自在に構成された台座と、  
この台座上に設置され、昇降路の前記内壁面に向けて物差し部を引き出し可能な測定手段と、
前記台座上に設置され、昇降路の前記内壁面に向けて直線状に光を照射可能な光照射器と
を具備することを特徴とするエレベータの昇降路寸法測定装置。
【請求項２】
前記台座は、前記敷居に着脱自在に固定可能な板状の基台と、この基台に連結され基台上で摺動可能に構成されたスライド板とで構成されたことを特徴とする請求項１に記載のエレベータの昇降路寸法測定装置。
【請求項３】
前記台座は、前記光照射器から照射される光の水平面との間のなす角度を調整可能な角度調整機構を前記基台に取り付けたことを特徴とする請求項２に記載のエレベータの昇降路寸法測定装置。
【請求項４】
前記基台は、板状の面に対し垂直方向に貫通する長穴を備え、この長穴と、前記敷居の溝に設けられた敷居貫通孔とを連通させたボルトを介して、基台が敷居に着脱自在に固定されるように構成されたことを特徴とする請求項２または請求項３に記載のエレベータの昇降路寸法測定装置。
【請求項５】
前記角度調整機構は、前記基台に螺合しつつ貫通させたジャッキボルトで構成されたことを特徴とする請求項３または請求項４に記載のエレベータの昇降路寸法測定装置。
【請求項６】
前記測定手段は、ベルト掛けにより前記スライド板に固定されるように構成されたことを特徴とする請求項２ないし請求項５のうちのいずれか１項に記載のエレベータの昇降路寸法測定装置。
【請求項７】
前記台座は、前記敷居位置を指標するガイド部を前記基台に着脱自在に設けたことを特徴とする請求項２ないし請求項６のうちのいずれか１項に記載のエレベータの昇降路寸法測定装置。
【請求項８】
前記測定手段は、前記光照射器から照射される光の照射方向に沿って前記物差し部を引き出したときに、照射された前記光を受光可能な照準板を前記物差し部の先端部に取り付けたことを特徴とする請求項１ないし７のうちのいずれか１項に記載のエレベータの昇降路寸法測定装置。
【請求項９】
前記光照射器は、レーザ光を照射するように構成されたことを特徴とする請求項１ないし８のうちのいずれか１項に記載のエレベータの昇降路寸法測定装置。
【発明の詳細な説明】
【技術分野】
【０００１】
本発明は、エレベータの昇降路寸法測定装置の改良に関する。
【背景技術】
【０００２】
エレベータに対する老朽化対応やエレベータの性能向上及び機能向上等を目的として、改修あるいはモダニゼーションと称される既設エレベータの更新が行われることが多くなってきた。
【０００３】
ロープ式エレベータの改修や更新では、各階の乗場における出入り口構造をはじめ、ガイドレールや昇降路の既存の構造体（躯体）はそのまま利用され、昇降路内を移動する乗りかごや、巻き上げ機構、あるいは制御盤等の交換作業が行われることが多い。
【０００４】
このような既設エレベータの改修や更新では、新規建造物に対してエレベータを据え付けるのとは異なり、各階の乗場ドア機構は、既に昇降路に組み込まれた状態を利用することになるから、新たな乗りかご等を昇降路内に搬入して据え付け、各階の乗場出入り口との間に、支障なく適正な位置間隔が得られるようにするためには、既存の乗場ドア機構の位置を考慮した昇降路寸法の測定が改めて必要とされる。
【０００５】
ところで、各階出入り口における既存の乗場ドア機構は、構造上、乗場ドアを案内する敷居（ｓｉｌｌ）が昇降路内に突き出て据え付けられているから、昇降路寸法測定では、その敷居位置を考慮した測定が要求される。
【０００６】
従来、改修や更新に際して行っていたエレベータの昇降路寸法測定作業では、たとえば一人の作業員が巻尺を持って乗場の出入り口に立ち、昇降路内のピットに降り立ったもう一人の作業員が、巻尺の物差し部の先端部（爪部）を引き出して、測定対象である後方の壁面にあてがい、出入り口側の作業員が、敷居縁に位置した物差し部の目盛りを読みとっていた。
【０００７】
昇降路内の左右側壁間も同様であり、乗場の出入り口側の作業員が、敷居の縁のある位置を測定基準として設定し、もう一人の作業員が引き出した巻尺の爪部を左及び右の各昇降路内壁にあてがい、読みとった測定基準位置での目盛りの値の和から、左右壁間の距離（寸法）を求めていた。
【０００８】
従来のエレベータの昇降路寸法測定では、巻尺の物差し部を引き出して距離を読みとるので、その引き出された物差し部にたるみが生じていたり、引き出し方向が壁面に対し垂直でなく、角度がずれて測定された場合は測定値に誤差が生ずる。
【０００９】
そこで従来は、測定精度を少しでも高めるべく、２点間に差し渡した物差し部に対し、敷居側及び壁面側で、Ｌ字状の曲尺（かねじゃく）をそれぞれあてがい、引き出された物差し部の角度を確認することも行われていた。
【００１０】
一般に、２点間の直線距離測定では、巻尺のほか、送信パルスレーザ光の測定対象物まで送受信間の時間測定から距離を求める、いわゆるレーザ距離計も使用することができる。
【００１１】
レーザ距離計は、直線性良く距離測定が行われるから、良好な距離測定精度が得られるものの、装置自体はコンピュータを内蔵していて演算処理機能を組み込んだ複雑な構成からなるので、取り扱いには相当な熟練を要する。また、既設エレベータにおける昇降路寸法測定のように、測定基準位置であり測定機材の設置場所ともなる乗場ドアの敷居は、構造上、昇降路内にはみ出すように取り付けられているので、測定基準位置を中心に設置して距離測定するようなレーザ距離計では、昇降路の奥行き方向の距離測定はともかく、同時に昇降路の左右方向の寸法測定を行うのには不都合であった。
【００１２】
なお、昇降路寸法測定のように、水平方向での２点間の距離測定を巻尺により行うものではないが、レーザ照射器と巻尺とを一体に組み込み、垂直方向の距離測定を行う測定具が提案されている。
【特許文献１】特開平２００１−２５５０４２号公報
【発明の開示】
【発明が解決しようとする課題】
【００１３】
いずれにしても、従来の巻尺を使用したエレベータの昇降路寸法測定では、測定手段である巻尺の物差し部分を引き出し、先端の爪部を昇降路の内壁面に当てがい、引き出された物差し部の直線性や壁面に対する角度等を目測していたので、たとえ曲尺を操作したとしても操作が煩雑である上、測定精度の低下は避けられないという問題があった。
【００１４】
そこで、本発明は上記問題を解決するためになされたもので、簡単な構成で、昇降路壁までの寸法を精度良く、容易に測定することができるエレベータの昇降路寸法測定装置を提供することを目的とする。
【課題を解決するための手段】
【００１５】
上記目的を達成するために、本発明は、乗場ドア用の敷居に取り付けて、昇降路の内壁面までの距離を測定するエレベータの昇降路寸法測定装置であって、前記敷居に着脱自在に構成された台座と、この台座上に設置され、昇降路の前記内壁面に向けて物差し部を引き出し可能な測定手段と、前記台座上に設置され、昇降路の前記内壁面に向けて直線状に光を照射可能な光照射器とを具備することを特徴とする。
【発明の効果】
【００１６】
上記のように、本発明の昇降路寸法測定装置は、光照射器と測定手段とを、乗場ドア用の敷居に着脱自在な台座上に設置し、測定手段の物差し部を直線状に照射される光の照射方向に沿って引き出すように構成したので、簡単な構成で敷居位置から昇降路の壁面までの測定手段による距離（寸法）を容易かつ精度良く測定することができる。
【発明を実施するための最良の形態】
【００１７】
以下、本発明に係るエレベータの昇降路寸法測定装置の一実施例について、図面を参照して詳細に説明する。
図１は本発明によるエレベータの昇降路寸法測定装置の一実施例を示したもので、乗場ドア用の敷居（敷居）へ昇降路寸法測定装置を取り付け状態を昇降路側から見た正面図、図２は図１の要部平面図、図３は図１のＡ−Ａ線から矢印方向を見た右側面図、そして図４は図１のＢ−Ｂ線から矢印方向を見た要部平面図である。
【００１８】
通常、エレベータの出入り口の乗場ドアには、同じ横引き戸でも、２本の敷居（ｓｉｌｌ）溝に案内される２枚戸開きタイプと１本の敷居溝に案内される中央戸開きタイプとがあるが、この実施例では、２本の敷居溝に案内される２枚戸開き用の敷居に昇降路寸法測定装置が取り付けられるものとして説明する。
【００１９】
図１及び図３に示したように、乗場ドア案内用の敷居１を昇降路内側に面した躯体壁２に固定するために、予め、躯体壁２には一対のアンカーボルト２１，２１が打ち込まれている。
【００２０】
アンカーボルト２１，２１には、図１に示すように、横断面がＬ字状をなしたブラケット３，３の長穴３ａを介して嵌め込まれ、ナット２２により締め付け固定されている。
敷居１を支持するための長尺な敷居受け部４は、図１または図３に示すように、ブラケット３，３の長穴３ｂ及び敷居受け部４の長穴４ａを貫通させたボルト５１とナット５２とにより固定されている。
【００２１】
また、図１及び図３に示すように、乗場床６の端面に密着させた敷居１は、敷居受け部４の上に載置され、ボルト７１とナット７２により敷居受け部４に固定されている。
なお、図２ないし図４に示すように、この実施例の敷居１は、縦断面形状が凹凸状をなして２本の敷居溝１ａ，１ｂを形成しているが、敷居１と敷居受け部４とを締結するボルト７１は、その２本の敷居溝１ａ，１ｂ間の凸部に位置させているので、ボルト７１は、凸部上部のくりぬきに挿入されてナット７２と螺合される。
【００２２】
また、敷居１は、アルミニウム材の押し出し加工により製造され、形成された２本の敷居溝１ａ，１ｂの底部には、図２及び図４に破線で示したように、敷居溝１ａ，１ｂに溜まった塵を下方に落とし込むための長穴１ａａ，１ｂａが適宜形成されているとともに、図示しないが、敷居受け部４にはこの長穴１ａａ，１ｂａに対応する位置にボルト穴が形成されている。
【００２３】
図１ないし図４に示すように、この実施例の昇降路寸法測定装置８は、敷居１上に着脱自在に構成される台座８１を有し、台座８１は、敷居１に着脱自在に固定される板状の基台８１１と、この基台８１１上にあって、特に図４によりその形状が明らかなように、水平面内で摺動自在に構成された矩形状のスライド板８１２とで構成されている。
【００２４】
この台座８１のスライド板８１２上には、図１ないし図３に示すように、測定手段である巻尺８２及び光照射器としてのレーザ照射器８３が設置されるとともに、図１、図２及び図４に示すように、基台８１１の４箇所で敷居１に取り付けられる基台８１１の傾き位置を調整し得るように構成されている。すなわち、基台８１１には、スライド板８１２上に搭載されたレーザ照射器８３によるレーザ光照射方向の水平面に対する傾き角度を調整し得るように、いわゆるジャッキボルトとなる角度調整機構８４が備えられている。なお、この実施例のレーザ照射器８３としては、一般に市販されているハンディタイプのレーザ照射器を採用できる。
【００２５】
台座８１の基台８１１は、角度調整機構８４によるねじ込み調整を経て、図１ないし図４に示したいわゆるグリップボルト８１３により、敷居１及び敷居受け部４に固定される。
【００２６】
すなわち、基台８１１には、図２及び図４に示したように、長穴８１１Ａが形成され、この長穴８１１Ａを通したグリップボルト８１３を、敷居１の長穴１ａａ，１ｂａ、及び不図示の敷居受け部４のボルト穴を貫通させ、グリップボルト８１３の先端部を横断貫通させたピン８１３ａで敷居受け部４に係止させるように構成されている。この状態で、グリップボルト８１３に螺合させたナット８１４を締め付けることにより、基台８１１を敷居１及び敷居受け部４に固定することができる（図１ないし図４を参照）。
【００２７】
また、図４に示すように、スライド板８１２には、スリット状に長さの長い台座貫通孔８１２ａがその長手方向に沿うように形成されている。
そのスライド板８１２の台座貫通孔８１２ａに遊挿されつつ、かつ基台８１１を貫通させたボルト８１５は、蝶ナット８１５ａに螺合するので、そのボルト８１５を介して基台８１１とスライド板８１２とが枢結される。
【００２８】
従って、ボルト８１５に対する蝶ナット８１５ａの嵌脱操作により、台座貫通孔８１２ａがボルト８１５に拘束されつつ、スライド板８１２は基台８１１上を摺動しその位置及び向きを変えることができるとともに、蝶ナット８１５ａの締め付け操作によりスライド板８１２を任意の位置及び向きで基台８１１に固定できる（図１，３及び４参照）。
【００２９】
なお、図４の要部平面図にも示したように、図１に示した状態では、矩形状の基台８１１の昇降路側の一辺は、敷居１の長手方向と平行になるように取り付けられるとともに、基台８１１上にスライド板８１２が固定されるときには、台座貫通孔８１２ａの長手方向の向きが敷居１の長手方向の向き（すなわち、基台８１１の上記一辺）と直交するように取り付けられる。
【００３０】
なお、基台８１１の昇降路側の縁部には、図１ないし図４に示したように、ストッパ８１１ａ，８１１ｂを植立させたので、ボルト８１５の蝶ナット８１５ａを緩め、スライド板８１２を図１ないし図４に示した位置から、台座貫通孔８１２ａに沿い移動させるとともに、右左方向にそれぞれ９０度回動させたとき、スライド板８１２がそれぞれストッパ８１１ａ，８１１ｂに当接し、搭載されたレーザ照射器８３及び巻尺（測定手段）８２の向きを、敷居１の長手方向、すなわち昇降路の左右内壁面に対し直交する方向に一致させることができる。
【００３１】
また、基台８１１の後方上面には、図１ないし図４に示すように、水準器８５がねじ止めされているので、作業員は、水準器８５を見ながら、ジャッキボルトで構成された複数個の角度調整機構８４を調整操作することで、基台８１１の水平面に対する傾斜角度を調整し、スライド板８１２上に搭載されたレーザ照射器８３及び巻尺８２の向きが水平になるように設定することができる。
【００３２】
次ぎに、図１に示すように、スライド板８１２の上面には、レーザ照射器８３を載置するための箱状の取付台８１２１が固定されている。
取付台８１２１上に載置されたレーザ照射器８３は、図１ないし図３に示したように、レーザ照射器８３を覆いつつ、取付台８１２１にねじ止めされるコ字状の固定具８１２２により固定されている。
【００３３】
なお、図３に示すように、取付台８１２１の後端部には、載置されたレーザ照射器８３が後方（乗場方向）に移動して抜け落ちないように、突起８１２１ａが植立されていて、レーザ照射器８３に設けた落下防止用係止部８３ａがその突起８１２１ａに係止するように構成されている。従って、レーザ照射器８３は、落下防止用係止部８３ａを突起８１２１ａに係止させた状態で、取付台８１２１上に固定される。
【００３４】
次ぎに、レーザ照射器８３を固定した固定具８１２２の上面には、図１ないし図３に示すように、Ｕ字状の巻尺（測定手段）固定具８１２３が、その両側端部に下方への折り返し爪８１２３ａ，８１２３ａを有して取付けられ、このＵ字状の中に、巻尺８２が収納される。もちろん、巻尺８２は、物差し部８２ａの引き出し方向がレーザ照射器８３のレーザ光の照射方向と一致する向きに巻尺固定具８１２３に収納される。
【００３５】
そして、巻尺８２の上部を覆い、巻尺固定具８１２３の前記折り返し爪８１２３ａ，８１２３ａ間に差し渡すようにベルト８１２４が掛け渡されるので、巻尺８２は、巻尺固定具８１２３に嵌め込まれた状態で安定する。なお、ベルト８１２４は、巻尺８２の固定がより安定するように、例えばゴム部材のような伸縮性のある素材で形成されていることが望ましい。
【００３６】
図２に示すように、巻尺８２から引き出される物差し部８２ａの先端部には、爪部８２ｂが一体に設けられており、この実施例では、爪部８２ｂを水平方向に直線状に引き出したときには、図５に拡大して示したように、レーザ照射器８３の開口部の中心位置Ｐと爪部８２ｂの下端と間には、一定間隔ｄの距離が形成されるように、巻尺８２とレーザ照射器８３との間の高さ位置が設定されている。
【００３７】
また、台座８１を構成した矩形状の基台８１１上で、敷居１の上面（凸部）に対応した四箇所には、上記のように、いわゆるジャッキボルトからなる角度調整機構８４をねじ込み構成されたので、作業員は水準器８５を見ながら、各位置での角度調整機構８４を操作して、基台８１１の高さ位置を調整し、台座８１、すなわちレーザ照射器８３によるの照射方向が水平面から偏倚することがなく、レーザ光を距離測定対象の昇降路内壁面に対し垂直に照射させることができる。
【００３８】
なお、この実施例では、図１ないし図３に示したように、台座８１の基台８１１に、全体が長尺で逆Ｕ字状をなしたガイド部８６が着脱自在に取り付けられている。
ガイド部８６は、その長手方向の両側が基台８１１にねじ止めされていて、下方に折り曲げられた先端部の（敷居側）縁を、敷居１の昇降路側の縁に当接させたので、中央部において、巻尺８２から引き出される物差し部８２ａと交差する位置では、ガイド部８６は物差し部８２ａと直交しかつ敷居１の縁の線位置を指標する。
【００３９】
従って、作業員が巻尺８２の物差し部８２ａを直線状に引き出し、爪部８２ｂを昇降路内壁に当接させた状態で、ガイド部８６と交差した物差し部８２ａの目盛りを読みとることによって、敷居１から対応する昇降路壁までの距離（寸法）を正確に測定できる。
【００４０】
なお、この実施例では、ガイド部８６は、レーザ照射器８３と巻尺（測定手段）８２から引き出される物差し部８２ａとの間を通って差し渡されるように基台８１１に取り付けられているので、蝶ナット８１５ａを緩めてスライド板８１２を回動させると、上方に突出した巻尺８２に衝突してしまう。そこで、以下説明するように、スライド板８１２を摺動及び回動させて、昇降路の左右壁面までの距離測定を行うときは、ガイド部８６を基台８１１から一旦取り外し、その後にスライド板８１２を摺動させ、スライド板８１２の向き（すなわち、巻尺８２及びレーザ照射器８３の向き）を敷居１の長手方向に一致させた後に、改めてガイド部８６を基台８１１に固定することになる。
【００４１】
なお、図１ないし図４では、基台８１１に固定されたスライド板８１２は、その台座貫通孔８１２ａの長手方向が敷居１の長手方向と直交するように位置決めすることにより、その向きが台座貫通孔８１２ａの長手方向と一致したレーザ照射器８３はレーザ光を昇降路の背面壁に垂直に照射され、巻尺８２は、その照射された直線状のレーザ光軌跡に沿い、直線状に巻尺８２の物差し部８２ａを背面壁まで引き出すことができる。
【００４２】
上記構成により敷居１上に据え付けたこの実施例におけるエレベータの昇降路寸法測定装置による昇降路寸法測定方法を説明する。
まず、昇降路の奥行き方向の距離（寸法）測定では、蝶ナット８１４の締め付け調整により、スライド板８１２の向きを調整して位置決めを行った後、作業員は、水準器８５を見て、台座８１が水平であることを確認しあるいは水平面を形成するように調整を行った後、レーザ照射器８３を起動させ、レーザ光を距離測定対象の昇降路の奥行き壁面に向けて照射する。レーザ光の照射方向は、昇降路の壁面に対し垂直となり、壁面に明るいビームスポットを描き、光跡長さは最短距離を示したものとなる。
【００４３】
次ぎに、作業員は、昇降路壁面に向けてレーザ光が適正に照射された状態で、測定手段である巻尺８２の爪部８２ｂを直線状に引き出し、爪部８２ｂをレーザ光の壁面での照射位置であるビームスポットに位置させる。
【００４４】
このとき、図５に示した位置関係、すなわち、レーザ照射器８３の開口部の中心位置Ｐと爪部８２ｂの下端と間に一定間隔ｄの距離が形成されたのと同様に、図６に示すように、したようにレーザ光のビームスポットＳとその壁面に当接させた爪部８２ｂの下端と間に、同じく一定間隔ｄが得られるように、爪部８２ｂのあてがい操作を行う。これにより、より正確に距離（寸法）測定を行うことができる。
【００４５】
図６には、巻尺８２の爪部８２ｂを昇降路壁面に当接させたとき、ビームスポットＳと爪部８２ｂとの間の間隔（一定間隔ｄ）設定が、容易かつ確実なものとするために、あらかじめ照準板８２ｃを爪部８２ｂに取付け固定した様子を示したものである。図６では、ビームスポットＳが照射されるべき照準板８２ｃの位置（爪部８２の下端から一定間隔ｄの位置）に、照準穴８２ｃａを形成したものであるが、照準板８２ｃ自体を壁面に密着させることができれば、必ずしも穴（照準穴８２ｃａ）を開けなくとも良い。
【００４６】
次ぎに、蝶ナット８１５ａの緩め及び締め付け操作と、スライド板８１２の摺動及び回動操作の組み合わせにより、レーザ照射器８３及び巻尺８２の向きを変えて、昇降路の左右両壁間の距離（寸法）を測定する手順を、図１、図１でＢ−Ｂ線から矢印方向を見た要部断面図である図７ないし図９、及び図１０及び図１１の要部平面図をそれぞれを参照して説明する。
【００４７】
まず、作業員は、台座８１の基台８１１からガイド部８６を取り外すとともに、蝶ナット８１５ａを緩め、図７に示すように、スライド板８１２を図示矢印Ｙ方向に移動（スライド）させ、図８に示した状態へと移行させる。
【００４８】
次ぎに、図８の状態において、図示矢印Ｒ方向にスライド板８１２を回動させ、図９に示した位置状態とし、さらにスライド板８１２を矢印Ｘ方向に移動（スライド）させるので、スライド板８１２はストッパ８１１ｂに当接し、図１０の要部平面図に示したように、その向きは敷居１の向きと平行になる。この状態で図１に示した蝶ナット８１５ａを締め付け、スライド板８１２を基台８１１に固定させる。
【００４９】
しかる後に、ガイド部８６を、図１０に示したように基台８１１に取り付け、以下は前述の昇降路奥行き方向の距離測定と同様な手順で、図示右方向の昇降路内壁に向けたレーザ照射器８３によるレーザ光の照射、及び巻尺８２の操作により、この位置での図示右方向壁面までの距離測定を行う。
【００５０】
なお、距離測定における物差し部８２ａの読みとり操作に便利なように、図１０に示すように、ガイド部８６に距離測定基準位置となるべき基準線８６ａを、罫書き等によりあらかじめ線引きをして印を付しておくのが良い。
【００５１】
詳細説明は省略するが、図示左側壁面までの距離測定も、上記右側壁面の測定に準じた手順により、図１１に示すようにスライド板８１２をストッパ８１１ａに当接させて位置で安定させることで、正確な距離測定が可能である。
【００５２】
このようにして、ガイド部８６の基準線８６ａを測定基準位置とした昇降路左右側壁面までの距離測定値の和から、昇降路内幅方向の寸法を容易かつ正確に求めることができる。
【００５３】
なお、上記実施例の説明において、基台８１１に取り付けられるガイド部８６は、図２の要部平面図に示したように、ガイド部８６の乗場側（敷居側）の縁の線が敷居１の昇降路側の縁の線と、上下方向に一致させたことによって、作業員が巻尺８２の物差し部８２ａの目盛りを正確に読みとりできるようにしたものである。
【００５４】
従って、取付構造上、例えば、敷居１の形状や大きさが乗場ドアの戸開き方向の種類によって異なることがあって、ガイド部８６の乗場側（敷居側）の縁の線を敷居１の昇降路側の縁の線と、上下方向に一致させることができない場合には、図１２に示したように、ガイド部８６に敷居１の昇降路側の縁の線と一致する切り込み線８６ｂをあらかじめ形成させておくのが良い。
【００５５】
また、上記説明で、測定手段である巻尺８２は、物差し部８２ａを引き出して目盛りを読みとるいわばアナログタイプのものを採用するものとして説明したが、アナログ式の巻尺に代えて、最近一般に市販されているデジタル式の巻尺を使用することもできる。
【００５６】
また、上記実施例では、光照射器はレーザ光を照射するものとして説明したが、物差し部８２ａの引き出し操作が適正に行われるのを補助できるように、細い径で直線状に光線が照射可能な照射器であれば良い。従って、実際にはレーザ照射器であることが望ましいが、物差し部８２ａの引き出し方向を指標可能な、直線状にビーム径の細い光を出力できる照射器であれば、レーザ光に限らず、例えば他の可視光線等、作業員が目で見てその光跡を認識できる光を照射可能なものであれば良い。
【００５７】
以上説明のように、本発明のエレベータの昇降路寸法測定装置によれば、光照射器と測定手段とを搭載し、物差し部の引き出し方向と光の照射方向とが共通するように設置したので、簡単な校正操作により、誤差の少ない高精度な距離（寸法）測定を容易に実施することができる。
【図面の簡単な説明】
【００５８】
【図１】本発明による昇降路寸法測定装置の一実施例を示す正面図である。
【図２】図１に示した装置の要部平面図である。
【図３】図１のＡ−Ａ線から矢印方向を見た右断面図である。
【図４】図１のＢ−Ｂ線から矢印方向を見た要部断面図である。
【図５】図１に示した装置において、レーザ照射器と巻尺（測定手段）との位置関係を示すための要部拡大正面図である。
【図６】図１に示した装置において、巻尺の爪部に照準板を取り付けた状態を示す正面図である。
【図７】図１に示した装置において、スライド板の動作を説明するための平面図である。
【図８】図７に続く動作を説明した、同じく平面図である。
【図９】図８に続く動作を説明した、同じく平面図である。
【図１０】図９に続く動作により、測定可能な状態を示した要部平面図である。
【図１１】図１０に示した装置での測定方向と１８０度、反対方向への距離測定を行う状態を示した要部平面図である。
【図１２】図１に示した装置において、他の形状のガイド部を搭載したときの要部平面図である。
【符号の説明】
【００５９】
１  敷居（乗場ドア用の敷居）
１ａ，１ｂ  敷居溝
２  躯体壁
４  敷居受け部
６  乗場床
８  昇降路寸法測定装置
８１  台座
８１１  基台
８１１ａ，８１１ｂ  ストッパ
８１２  スライド板
８１２ａ  台座貫通孔
８１２１  取付台
８１２２  固定具
８１２３  巻尺（測定手段）固定具
８１２４  ベルト
８１３  グリップボルト（ボルト）
８１４  ナット
８１５  ボルト
８１５ａ  蝶ナット
８２  巻尺（測定手段）
８２ａ  物差し部
８２ｂ  爪部
８２ｃ  照準板
８３  レーザ照射器（光照射器）
８４  角度調整機構（ジャッキボルト）
８５  水準器
８６  ガイド部
８６ａ  切り込み線
【図１】
2005106733.tif 000003
【図２】
2005106733.tif 000004
【図３】
2005106733.tif 000005
【図４】
2005106733.tif 000006
【図５】
2005106733.tif 000007
【図６】
2005106733.tif 000008
【図７】
2005106733.tif 000009
【図８】
2005106733.tif 000010
【図９】
2005106733.tif 000011
【図１０】
2005106733.tif 000012
【図１１】
2005106733.tif 000013
【図１２】
2005106733.tif 000014